【手続補正書】
【提出日】令和1年10月17日(2019.10.17)
【手続補正１】
【補正対象書類名】特許請求の範囲
【補正対象項目名】全文
【補正方法】変更
【補正の内容】
【特許請求の範囲】
【請求項１】
飲み物を抽出するための物質に注がれた液体を落下させるドリッパーと、前記ドリッパーから落下する液体を溜める容器との間に配置されて使用される電子機器であって、
前記容器に溜められる液体に関する情報を取得し、前記情報を利用して出力部からコンテンツを出力させるための処理を行う電子機器。
【請求項２】
飲み物を抽出するための物質に注がれた液体を落下させるドリッパーと、前記ドリッパーから落下する液体を溜める容器との間に配置されて使用される電子機器であって、
前記容器に溜められる液体に関する情報を取得するセンサを有する電子機器。
【請求項３】
飲み物を抽出するための物質に注がれた液体を落下させるドリッパーと、前記ドリッパーから落下する液体を溜める容器との間に配置されて使用される電子機器であって、
前記容器に溜められる液体に関する情報を利用して出力部からコンテンツを出力させるための処理を行う電子機器。
【請求項４】
飲み物を抽出するための物質に注がれた液体を落下させるドリッパーと、前記ドリッパーから落下する液体を溜める容器との間に配置して使用可能であり、
前記容器に溜められる液体に関する情報を取得し、前記情報を利用して出力部からコンテンツを出力させるための処理を行う電子機器。
【請求項５】
飲み物を抽出するための物質に注がれた液体を落下させるドリッパーと、前記ドリッパーから落下する液体を溜める容器との間に配置して使用可能であり、
前記容器に溜められる液体に関する情報を取得するセンサを有する電子機器。
【請求項６】
飲み物を抽出するための物質に注がれた液体を落下させるドリッパーと、前記ドリッパーから落下する液体を溜める容器との間に配置して使用可能であり、
前記容器に溜められる液体に関する情報を利用して出力部からコンテンツを出力させるための処理を行う電子機器。
【請求項７】
前記電子機器は、前記ドリッパーと前記容器との間に挟まれて前記容器の開口部に支持されるとともに前記ドリッパーを支持する形状であるとともに、前記ドリッパーから落下する液体を下方に通すための形状であり、
前記形状は、上面視において、環状、環状の一部が欠けている形状、Ｕ字型の形状、Ｙ字型の形状、孔を有する多角形、孔を有する台形、孔を有する楕円形のうちの少なくとも１つである請求項１乃至６の何れかに記載の電子機器。
【請求項８】
前記電子機器は、前記容器に溜められる液体に関する画像情報を取得する画像取得部を備え、
前記画像取得部は、前記電子機器が前記容器に設置された場合に前記容器に溜められる液体の表面にレンズが向くように前記電子機器に取り付けられる請求項１乃至７の何れかに記載の電子機器。
【請求項９】
前記画像取得部は、前記容器に溜められる液体の表面に関する画像情報を取得し、
前記電子機器は、前記液体の表面に現れる色、模様、泡のうちの少なくとも１つの遷移に基づいて、複数のコンテンツのうちから出力対象となるコンテンツを決定する請求項８に記載の電子機器。
【請求項１０】
容器に溜められる飲み物の表面に関する画像情報を取得し、前記画像情報を利用して出力部からコンテンツを出力させるための処理を行う電子機器。
【請求項１１】
容器に溜められる飲み物の表面に関する画像情報を利用して出力部からコンテンツを出力させるための処理を行う電子機器。
【請求項１２】
前記電子機器は、前記飲み物を抽出するための物質に注がれた液体を落下させるドリッパーに取り外し可能に取り付けられる請求項１０または１１に記載の電子機器。
【請求項１３】
前記電子機器は、前記飲み物の表面に現れる色、模様、泡のうちの少なくとも１つの遷移に基づいて、複数のコンテンツのうちから出力対象となるコンテンツを決定する請求項１０乃至１２の何れかに記載の電子機器。
【請求項１４】
前記電子機器は、前記電子機器が有する出力部、または、前記電子機器以外の機器が有する出力部から前記コンテンツを出力させるための処理を行う請求項１乃至１３の何れかに記載の電子機器。
【請求項１５】
前記コンテンツは、前記飲み物及び前記飲み物の抽出の双方に無関係のコンテンツであり、アニメのキャラクター、動物、人物、植物、地物のうちの少なくとも１つに関する情報である請求項１乃至１４の何れかに記載の電子機器。
【請求項１６】
前記電子機器は、音声情報及び画像情報のうちの少なくとも１つを前記コンテンツとして出力させる請求項１乃至１５の何れかに記載の抽出器。
【請求項１７】
容器に溜められる飲み物の表面に関する画像情報を取得する処理と、前記画像情報を利用して出力部からコンテンツを出力させる処理とを含む情報処理方法。
【請求項１８】
容器に溜められる飲み物の表面に関する画像情報を取得する機能と、前記画像情報を利用して出力部からコンテンツを出力させる機能とをコンピュータに実現させるためのプログラム。
【請求項１９】
飲み物を抽出するための物質に注がれた液体を落下させるドリッパーと、
前記ドリッパーから落下する液体を溜める容器と、
前記ドリッパーと前記容器との間に配置されて使用される電子機器であって、前記容器に溜められる液体に関する情報を取得し、前記情報を利用して出力部からコンテンツを出力させる電子機器と、
を有する抽出器。
【請求項２０】
飲み物を生成するための物質と液体とにより生成される前記飲み物を容器に溜める場合の当該生成の際と、当該生成された飲み物を容器に入れる際と、当該生成された飲み物を前記容器に入れた後との何れかにおいて、当該生成された飲み物の表面に関する画像情報を複数の容器に入れられた各飲み物について取得し、当該取得された各画像情報の解析に基づいて複数のコンテンツのうちから決定されたコンテンツを、前記複数の容器に関連する各人物の電子機器に提供する情報処理装置。
【請求項２１】
前記情報処理装置は、前記飲み物の表面に関して発生する自然現象に関する情報に基づいて前記飲み物毎に判定情報を求め、当該判定情報を用いて前記複数のコンテンツのうちから前記電子機器に提供するコンテンツを決定する請求項２０に記載の情報処理装置。
【請求項２２】
飲み物を生成するための物質と液体とにより生成される前記飲み物を容器に溜める場合の当該生成の際と、当該生成された飲み物を容器に入れる際と、当該生成された飲み物を前記容器に入れた後との何れかにおいて、当該生成された飲み物の表面に関する画像情報を複数の容器に入れられた各飲み物について取得する処理と、当該取得された各画像情報の解析に基づいて複数のコンテンツのうちから決定されたコンテンツを、前記複数の容器に関連する各人物の電子機器に提供する処理とを含む情報処理方法。
【請求項２３】
飲み物を生成するための物質と液体とにより生成される前記飲み物を容器に溜める場合の当該生成の際と、当該生成された飲み物を容器に入れる際と、当該生成された飲み物を前記容器に入れた後との何れかにおいて、当該生成された飲み物の表面に関する画像情報を複数の容器に入れられた各飲み物について取得する機能と、当該取得された各画像情報の解析に基づいて複数のコンテンツのうちから決定されたコンテンツを、前記複数の容器に関連する各人物の電子機器に提供する機能とをコンピュータに実現させるためのプログラム。
【手続補正２】
【補正対象書類名】明細書
【補正対象項目名】発明の名称
【補正方法】変更
【補正の内容】
【発明の名称】抽出器、電子機器、情報処理装置、情報処理方法及びプログラム
【手続補正３】
【補正対象書類名】明細書
【補正対象項目名】０２７８
【補正方法】変更
【補正の内容】
【０２７８】
また、液体（珈琲）に関する他の情報として、例えば、コーヒーミル（珈琲豆を挽く機器）により珈琲豆を挽く場合に関する情報を取得して用いるようにしてもよい。例えば、コーヒーミルにより珈琲豆を挽く場合に発する音等に関する情報を取得して用いることができる。また、コーヒーミルに関して取得した情報と、珈琲抽出器により取得した情報とを組み合わせて用いるようにしてもよい。